(57)【要約】【課題】記録媒体に記録されたコンテンツを確実にかつ素早く再生する。【解決手段】ＴＳ信号を記録媒体２２に記録する際に、ＴＳ−ＤＥＭＵＸ１４でＴＳ信号からセクションデータを抽出して、コンテンツ再構築部２０でコンテンツに構築する。それと共に、ＴＳ信号に含まれるＰＣＲに基づいて時刻情報を得、再構築したコンテンツと時刻情報を対応付けてテーブルファイルを生成して記録媒体２２に記録する。再生時に、再生ＴＳ信号のＰＣＲに基づいて時刻情報を得、テーブルファイルの時刻情報と比較して、一致した時刻情報に対応付けられているコンテンツを再生して出力する。【選択図】　　　図１
2004032623.tif 000002
【特許請求の範囲】
【請求項１】
デジタル放送信号を受信して復調し、復調した信号から番組を構成する映像ストリーム、音声ストリーム及びデータカルーセル方式で伝送される特定表示情報のデータを含む付加データを有するトランスポートストリーム信号を生成する手段と、
前記トランスポートストリーム信号を記録媒体に記録する手段と、
前記トランスポートストリーム信号からデータカルーセル方式の付加データの１回分のデータを抽出して前記特定表示情報のデータをモジュールとして生成する手段と、
前記トランスポートストリームの付加データに含まれる情報に基づき現在時刻情報を得る手段と、
前記生成されたモジュールを前記現在時刻情報に対応付けて前記記録媒体に記録する手段と、
前記記録媒体に記録されたトランスポートストリーム信号を再生する手段と、
前記再生されたトランスポートストリーム信号の付加データから記録時の時刻情報を得る手段と、
前記再生トランスポートストリーム信号から得た記録時の時刻情報と、前記モジュールに対応付けて記録された時刻情報とを比較し、一致した際に当該モジュールを再生する手段と、
を具備したことを特徴とするデジタル放送信号記録再生装置。
【請求項２】
前記現在時刻情報を得る手段は、ＰＣＲに基づいて時刻情報を得るものであることを特徴とする請求項１に記載のデジタル放送信号記録再生装置。
【請求項３】
前記記録媒体に記録されたトランスポートストリーム信号を再生する手段は、早送り再生可能な手段を含むことを特徴とする請求項１に記載のデジタル放送信号記録再生装置。
【請求項４】
前記モジュールを再生する手段は、前記再生トランスポートストリーム信号から前記モジュールを構成するためのデータを抽出して、抽出したデータからモジュールが生成された際に、前記記録媒体からのモジュールの再生に代えて、前記再生トランスポートストリーム信号から得たデータから生成されたモジュールを出力するものであることを特徴とする請求項１に記載のデジタル放送信号記録再生装置。
【請求項５】
デジタル放送信号を受信して復調し、復調した信号から番組を構成する映像ストリーム、音声ストリーム及びデータカルーセル方式で伝送される特定表示情報のデータを含む付加データでを有するトランスポートストリーム信号を生成するステップと、
前記トランスポートストリーム信号を記録媒体に記録するステップと、
前記トランスポートストリーム信号からデータカルーセル方式の付加データの１回分のデータを抽出して前記特定表示情報のデータをモジュールとして生成するステップと、
前記トランスポートストリームの付加データに含まれる情報に基づき現在時刻情報を得るステップと、
前記生成されたモジュールを前記現在時刻情報に対応付けて前記記録媒体に記録するステップと、
前記記録媒体に記録されたトランスポートストリーム信号を再生するステップと、
前記再生されたトランスポートストリーム信号の付加データから記録時の時刻情報を得るステップと、
前記再生トランスポートストリーム信号から得た記録時の時刻情報と、前記モジュールに対応付けて記録された時刻情報とを比較し、一致した際に当該モジュールを再生するステップと、
を具備したことを特徴とするデジタル放送信号記録再生方法。
【発明の詳細な説明】
【０００１】
【発明の属する技術分野】
本発明は、番組を構成する映像データ及び音声データとは別にデータカルーセル方式で放送信号に多重されて伝送されるデータを記録し再生するためのデジタル放送信号記録再生装置及び記録再生方法に関する。
【０００２】
【従来の技術】
一般に、デジタル放送では、放送番組を構成する映像データ及び音声データの他に、番組表（ＥＰＧ：Ｅｌｅｃｔｒｏｎｉｃ　Ｐｒｏｇｒａｍ　Ｇｕｉｄｅ）等の付加データが多重で伝送される。
映像データ及び音声データは、番組を構成するためにリアルタイムで伝送されるが、付加データはデータカルーセルの形態で伝送され、受信側でコンテンツの再構築を行なって表示用の信号を生成してこれを表示するようにしている。
データカルーセル方式で送られてくるコンテンツを受信側で表示するには、コンテンツを構成している全てのデータを受信する必要があるため、少なくとも１回のカルーセルで送られてくるデータを全て受信しなければならない。すなわち、最低でも一回のカルーセル送出時間を超えてデータを受信しないと送られてくるコンテンツを受信側で再構築することができず、当然表示することもできない。
【０００３】
デジタル放送信号を記録し再生する装置として、Ｄ−ＶＨＳ（Ｄｉｇｉｔａｌ−ＶＨＳ：登録商標）あるいは、ＡＶ−ＨＤＤ（Ａｕｄｉｏ　Ｖｉｄｅｏ　−Ｈａｒｄ　Ｄｉｓｋ　Ｄｒｉｖｅ）等が市販されており、これらの装置では、受信した放送チャンネルの受信信号を復調して得たＭＰＥＧ（Ｍｏｖｉｎｇ　Ｐｉｃｔｕｒｅ　Ｅｘｐｅｒｔｓ　Ｇｒｏｕｐ）２のトランスポートストリーム（Ｔｒａｎｓｐｏｒｔ　Ｓｔｒｅａｍ：ＴＳ）信号を略そのまま記録媒体に記録し、再生するように構成されている。
【０００４】
したがって、そのような記録媒体から再生された信号は、あたかも受信した放送信号から得たＴＳ信号のように扱うことが可能である。
しかしながら、このような記録再生装置においては、記録媒体からデータを再生する際に、記録時の速度に対して速い速度で再生するいわゆる早送り再生機能を備えているのが一般的あり、早送り再生においては、データをスキップして再生するため、カルーセルで送られる付加データの再構築ができなかったり、再構築ができても、スキップ後の再生データから構築するために、表示のタイミングが遅くなるという問題がある。
【０００５】
データカルーセル方式のデータを含んだデジタル放送信号を記録する提案として例えば特開２００２−１５２６８８号に示すものがあるが、この提案は、データカルーセル方式で伝送されるコンテンツの重複記録を防止することを目的としたものであり、映像ストリームを早送りで再生する場合の課題及び対策については全く触れられていない。
【０００６】
【発明が解決しようとする課題】
以上のように、従来、受信したデジタル放送信号から得たＴＳ信号を略そのまま記録し、再生するように構成した装置において、早送り再生等の特殊再生モードが実行されると、ＴＳ信号に含まれるカルーセル方式の付加データを再構築することが困難になり、仮に再構築ができたとしてもそのタイミングが遅くなるという問題があった。
【０００７】
本発明は、以上の点に対処してなされたものであり、特殊再生モードが実行された場合においても、データカルーセルによって伝送されるコンテンツを、放送受信時と同様なタイミングで再構築し、表示できるようにしたデジタル放送信号の記録装置及び記録再生方法を提供することを目的とする。
【０００８】
【課題を解決するための手段】
本発明の、デジタル放送信号記録再生装置は、デジタル放送信号を受信して復調し、復調した信号から番組を構成する映像ストリーム、音声ストリーム及びデータカルーセル方式で伝送される特定表示情報のデータを含む付加データを有するトランスポートストリーム信号を生成する手段と、前記トランスポートストリーム信号を記録媒体に記録する手段と、前記トランスポートストリーム信号からデータカルーセル方式の付加データの１回分のデータを抽出して前記特定表示情報のデータをモジュールとして生成する手段と、前記トランスポートストリームの付加データに含まれる情報に基づき現在時刻情報を得る手段と、前記生成されたモジュールを前記現在時刻情報に対応付けて前記記録媒体に記録する手段と、前記記録媒体に記録されたトランスポートストリーム信号を再生する手段と、前記再生されたトランスポートストリーム信号の付加データから記録時の時刻情報を得る手段と、前記再生トランスポートストリーム信号から得た記録時の時刻情報と、前記モジュールに対応付けて記録された時刻情報とを比較し、一致した際に当該モジュールを再生する手段とを具備したことを特徴とする。
【０００９】
本発明によれば、記録時に、コンテンツを構築して時刻情報と対応付けて記録し、トランスポートストリームの再生時に得られる時刻情報に基づいてコンテンツを特定して再生して出力するようにしたので、コンテンツを確実に再生することができるものである。
【００１０】
また、本発明のデジタル放送信号記録再生方法は、デジタル放送信号を受信して復調し、復調した信号から番組を構成する映像ストリーム、音声ストリーム及びデータカルーセル方式で伝送される特定表示情報のデータを含む付加データでを有するトランスポートストリーム信号を生成するステップと、前記トランスポートストリーム信号を記録媒体に記録するステップと、前記トランスポートストリーム信号からデータカルーセル方式の付加データの１回分のデータを抽出して前記特定表示情報のデータをモジュールとして生成するステップと、前記トランスポートストリームの付加データに含まれる情報に基づき現在時刻情報を得るステップと、前記生成されたモジュールを前記現在時刻情報に対応付けて前記記録媒体に記録するステップと、前記記録媒体に記録されたトランスポートストリーム信号を再生するステップと、前記再生されたトランスポートストリーム信号の付加データから記録時の時刻情報を得るステップと、前記再生トランスポートストリーム信号から得た記録時の時刻情報と、前記モジュールに対応付けて記録された時刻情報とを比較し、一致した際に当該モジュールを再生するステップとを具備したことを特徴とする。
【００１１】
本発明によれば、記録時に、コンテンツを構築して時刻情報と対応付けて記録し、トランスポートストリームの再生時に得られる時刻情報に基づいてコンテンツを特定して再生して出力するようにしたので、コンテンツを確実に再生することができるものである。
【００１２】
【発明の実施の形態】
以下、図面を参照しながら本発明の実施の形態を詳細に説明する。
図１は、本発明のデジタル放送信号記録再生装置１０の一実施の形態を示すブロック図である。
入力端子１１は、図示しないケーブルを介してアンテナに接続され放送信号が供給される。入力端子１１に供給された放送信号は、チューナ１２に供給されてここで、所定のチャンネルが選局される。チューナ１２で選局されたチャンネルの受信信号は、復調部１３に供給され、復調されると共に、誤り訂正処理が施されて、ＭＰＥＧ２のＴＳ信号として出力される。
【００１３】
ＴＳ信号はＴＳ−ＤＥＭＵＸ（ＴＳ　ＤｅＭＵｌｔｉｐｌｅＸ）１４に供給されて、映像ストリーム、音声ストリーム、ＳＩ（Ｓｅｒｖｉｃｅ　Ｉｎｆｏｒｍａｔｉｏｎ）情報、カルーセルで送られてくるコンテンツの含まれるセクションデータ等に分離される。
【００１４】
映像及び音声ストリームは、番組を構成する映像データ及び音声データであり、ＡＶ（Ａｕｄｉｏ　Ｖｉｄｅｏ）デコーダ１５でＭＰＥＧの復号が行なわれ、復号された音声データは音声信号処理部１６に供給されて、ここで音声に対する処理が施されると共にアナログ信号に変換されてスピーカ等で構成される音声出力部１７から出力される。また、復号された映像データは、映像信号処理部１８に供給され、ここで映像に対する処理が施されると共に、後述する再構築されたコンテンツが多重され、さらにアナログ信号に変換されて、陰極線管等で構成される表示部１９に表示される。
【００１５】
ＴＳ−ＤＥＭＵＸ１４で分離されたコンテンツの含まれるセクションデータは、コンテンツ再構築部２０に供給されて、ここでコンテンツが再構築されて映像信号処理部１８に供給され、ＡＶデコーダ１５から供給される映像データに重畳され、さらにアナログ信号に変換されて表示部１９に導出され、表示される。
【００１６】
また、復調部１３から出力されるＴＳ信号は、ＨＤＤＩ／Ｆ（Ｉｎｔｅｒ　Ｆａｃｅ）部２１を介してＨＤＤ２２に供給されて、記録される。
さらにこのとき、コンテンツの含まれるセクションデータが、ＴＳ−ＤＥＭＵＸ１４で分離されて、コンテンツ再構築部２０に供給されてコンテンツの再構築が行なわれる。再構築されたコンテンツは、ＨＤＤＩ／Ｆ部２１を介してＨＤＤ２２に供給され、ＴＳ信号と共に記録される。
【００１７】
また、チューナ１２によるチャンネルの選局、ＨＤＤ２２よる記録等の動作を実行させるために、ユーザが操作可能な入力部２３が設けられ、この入力部２３からの信号は、制御部２４に供給されて各回路ブロックの動作が制御される。
入力部２３は、図示しないリモートコントロールハンドユニットからのリモコン信号を受ける受信部として構成されるかあるいは、ユーザが操作可能な複数のスイッチで構成することができる。
制御部２４は、入力部２３からの信号により、チューナ１２を制御して受信チャンネルを切換え、さらに、ＴＳ−ＤＥＭＵＸ１４を制御して、目的の映像音声ストリーム、セクションデータの抽出を実行させる。さらに制御部２４は、コンテンツ再構築部２０を制御してセクションデータからコンテンツを再構築させ、さらに映像信号処理部１８を制御して必要に応じて、再構築されたコンテンツを映像データに重畳させると共に映像信号に対して所定の調整を施し、さらに音声信号処理部１６を制御して音声信号に対して所定の調整を施す。
【００１８】
以上のように構成された記録再生装置において、受信された放送信号のＴＳ信号の記録動作を図２を参照して説明する。
ユーザによる入力部２３の操作によって、制御部２４の制御の下、所望の放送チャンネルがチューナ１２で選局され、復調部１３で復調され、誤り訂正が施されてＴＳ信号として出力される。ＴＳ信号は、ＴＳ−ＤＥＭＵＸ１４を介してＨＤＤＩ／Ｆ部２１に供給される。制御部２４によってＨＤＤ２２が駆動され、ＨＤＤＩ／Ｆ部２１を介して供給されるＴＳ信号がＨＤＤ２２に記録される。
【００１９】
図２の２ａは、ＴＳ信号の構成を示し、ＴＳ信号が映像ストリーム（Ｖｉｄｅｏ）音声ストリーム（Ａｕｄｉｏ）とセクションデータであるデータパケット（Ｄａｔａ）で構成されていることを示している。映像及び音声ストリームは、ＴＳパケット単位で構成されて、データパケット（Ｄａｔａ）も同じパケットサイズに構成されている。このＴＳ信号２ａは、ＨＤＤＩ／Ｆ部２１を介して、ＨＤＤ２２に供給されて記録される。図２の２ｂに、ＨＤＤ２２における記録状態を模式的に示す。
【００２０】
図２の２ｃは、ＴＳ信号のうちのセクションデータであるデータパケット（Ｄａｔａ）のデータが図１のＴＳ−ＤＥＭＵＸ１４で抽出され、コンテンツ再構築部２０でモジュールとして再構築された状態を模式的に示している。
このとき制御部２４は、図２の２ｄに示すように、再構築が完了した時刻３１と、再構築したコンテンツを関係付けるテーブルファイルを作成する。再構築が完了した時刻は、ＴＳ信号中のＰＣＲ（Ｐｒｏｇｒａｍ　Ｃｌｏｃｋ　Ｒｅｆｅｒｅｎｃｅ）を基準として制御されて時刻情報を出力するＳＴＣ（Ｓｙｓｔｅｍ　Ｔｉｍｅ　Ｃｌｏｃｋ）から得られる。各モジュール３２は、例えばＰｏｉｎｔｅｒ（ポインタ）がそのままモジュール名として適用されて、時刻情報と対でテーブルファイル２ｄに組立てられている。
【００２１】
再構築された図２のモジュール２ｃと、テーブルファイル２ｄは、ＨＤＤＩ／Ｆ部２１を介して、ＨＤＤ２２に供給されて、それぞれＴＳ信号が記録された領域とは異なる領域に記録される。
以上説明した記録時の動作について、図３のフローチャートを参照してさらに説明する。
図３において、ステップ３ａで開始され、ステップ３ｂでチューナ１２による選局、復調部１３による復調及び誤り訂正処理が行なわれてＴＳ信号が取得される。次に、ステップ３ｃでＨＤＤ２２が起動され、ＴＳ信号が記録される。
同時に、ステップ３ｄでＴＳ信号に含まれるセクションデータが抽出され、ステップ３ｅで抽出されたセクションデータに基づき、コンテンツ再構築部２０でコンテンツが再構築される。ステップ３ｆでコンテンツの再構築が完了したか否かの判定がなされ、未完了の場合にはステップ３ｅに戻る。ステップ３ｆでコンテンツの再構築が完了したことが判定されたら、ステップ３ｇでその時点の時刻情報をＳＴＣから得る。このため、予めステップ３ｈでＳＴ信号に含まれるＰＣＲに基づきＳＴＣを制御しておく。
【００２２】
次に、ステップ３ｉで、時刻情報と再構築したコンテンツのモジュールとを対応付けたテーブルファイルを生成し、ステップ３ｊでテーブルファイルをＨＤＤ２２に記録する。
次いで、ステップ３ｋでＴＳ信号の記録動作が終了したか否かの判定がなされ、終了していない場合には、ステップ３ｃ，３ｄ，３ｈに戻る。記録動作が終了した場合には、ステップ３ｌで処理を終了する。
次に、ＨＤＤ２２からの再生動作について説明する。
ユーザの入力部２３の操作によって、制御部２４を介してＨＤＤ２２が駆動され、記録されているＴＳ信号が再生される。再生されたＴＳ信号は、ＴＳ−ＤＥＭＵＸ１４で映像ストリームと音声ストリームが分離抽出され、ＡＶデコーダ１５でそれぞれＭＰＥＧ２の復号が行なわれて、音声処理部１６と映像処理部１８に供給され、所定の処理が施されて音声出力部１７から出力されると共に表示部１９で表示される。
【００２３】
さらに、このとき、制御部２４は、再生されたＴＳ信号に含まれるＰＣＲに基づいてＳＴＣを制御して記録時の時刻情報を得る。さらに、制御部２４は、ＨＤＤ２２からデータファイル２ｄを再生して、ＳＴＣから得られる記録時の時刻と、データファイル２ｄの時刻情報４１を比較して時刻が一致するコンテンツがあった場合、それをコンテンツ再構築部２０を介して映像処理部１８に供給して、番組の映像データに重畳させる。
【００２４】
図４に、再生ＴＳから得られた時刻情報とモジュール（コンテンツ）の関係を示す。図４において、線４ａは、再生ＴＳ信号を時間軸で示すもので、記録されているＰＣＲに基づく、記録時の時刻Ａ，Ｂ，Ｃを含んでいる。再生ＳＴから得られるＰＣＲによって制御されるＳＴＣの時刻がＡになって時点で、その時刻に再構築が完了したテーブルファイル４ｂのモジュールＡが再生され、映像信号処理部１８を介して表示部１９で表示される。同様に、時刻ＢでモジュールＢの再生が実行され、時刻ＣでモジュールＣの再生が実行され、それぞれそのタイミングで表示部１９で表示される。
【００２５】
ＨＤＤ２２の高速再生等の特殊再生時に、ＴＳ信号が不連続になった場合にも、テーブルファイル３ｂを参照して、再生を再開した時点の直前までに組み上がっているコンテンツをＨＤＤ２２から再生して表示することができるものである。
再生時の動作について、図５のフローチャートを参照してさらに説明する。
ステップ５ａで開始され、ステップ５ｂでＨＤＤ２２を駆動して、記録されているＴＳ信号を再生する。次いで、ステップ５ｃで、ＴＳ−ＤＥＭＵＸ１４により再生したＴＳ信号から映像ストリームを抽出し、ステップ５ｄで、ＡＶデコーダ１５により映像ストリームを復号し、ステップ５ｅで、映像信号処理部１８により復号した映像データに処理を施すと共に、表示部１９で表示させる。
【００２６】
さらに、ステップ５ｆでＨＤＤ２２から再生されたＳＴ信号に含まれるＰＣＲに基づき、ＳＴＣを制御して記録時の時刻情報を得る。
一方で、ステップ５ｇでＨＤＤ２２から記録されているテーブルファイルを再生し、ステップ５ｈでテーブルファイルの時刻情報とＳＴＣから得られる時刻情報を比較し、ステップ５ｉで時刻情報が一致したか否かの判定が行なわれ、一致しない場合には、ステップ５ｈに戻って引き続き、テーブルファイルの時刻情報とＳＴＣからの時刻情報を比較する。
【００２７】
ステップ５ｉで時刻情報が一致した場合には、その時刻情報が対応付けられているモジュールのコンテンツを、コンテンツ再構築部２０を介して映像信号処理部１８に出力し、映像データに多重する。そして映像データに多重されたコンテンツは、ステップ５ｅで表示部１９によって表示される。
【００２８】
ステップ５ｅにおける表示部１９による表示処理の後、ステップ５ｋでＴＳ信号の再生動作が終了したか否かが判定され、再生動作が終了していなかったらステップ５ｂ，５ｇに戻り、再生動作が終了してら、ステップ５ｌにのよって処理が終了する。
【００２９】
以上のように、コンテンツを再構築してから、再構築が完了した時刻データと共に、ＨＤＤ２２に記録するようにしたので、ＴＳ信号を再生している際に再生信号から得られる時刻情報に基づいて、コンテンツを再生して表示させることができるため、特殊再生時であっても確実にコンテンツを再生して表示させることができるものである。
【００３０】
なお、以上の説明では、再生時に、コンテンツをテーブルファイルから得るものとして説明したが、再生ＴＳ信号には、セクションデータが含まれているため、コンテンツをテーブルファイルから再生しつつ、ＴＳ−ＤＥＭＵＸ１４で、再生ＴＳ信号からコンテンツを構築することが可能なセクションデータが抽出できるかどうかを監視して、再生ＴＳ信号のセクションデータからコンテンツを再構築することが可能となった際に、セクションデータに基づいて再構築したコンテンツを出力するように切換えてもよい。
【００３１】
以上説明したように、本発明によれば、ＴＳ信号を記録する際に、ＴＳ信号に含まれるコンテンツを予め再構築して、その再構築を完了した時点の時刻情報に対応付けて記録し、ＴＳ信号の再生時に、ＰＣＲとＳＴＣから、記録時の時刻情報を取得して、同じ時刻情報が対応付けられたコンテンツを再生するように構成したので、特殊再生時に、コンテンツが再生できなかったり、表示されるまでに時間が掛かるという問題を解決することができるものである。
【００３２】
【発明の効果】
以上のように、本発明によれば、受信したストリームを記録媒体に記録する際に、ストリームに含まれるセクションデータを抽出してコンテンツを構築し、このコンテンツを、構築した時点の時刻情報と共に記録媒体に記録し、ストリームの再生時に、記録時の時刻情報を取得して、コンテンツに対応付けて記録された時刻情報と比較して、同じ時刻情報が得られたタイミングでコンテンツを出力するようにしたので、コンテンツを確実にかつ短時間で再生出力することができるようになるものである。
【図面の簡単な説明】
【図１】本発明に係る、デジタル放送信号記録再生装置の一実施の形態を示すブロック図。
【図２】図１に示す装置の記録時の動作を説明するための図。
【図３】図１に示す装置の記録時の動作を説明するためのフローチャート。
【図４】図１に示す装置の再生時の動作を説明するための図。
【図５】図１に示す装置の再生時の動作を説明するためのフローチャート。
【符号の説明】
１０…記録再生装置
１１…入力端子
１２…チューナ
１３…復調部
１４…ＴＳ−ＤＥＭＵＸ（トランスポートストリーム　デマルチプレクサ）
１５…ＡＶ（オーディオ　ビデオ）デコーダ
２０…コンテンツ再構築部
２１…ＨＤＤＩ／Ｆ（ハードディスクドライブ　インターフェース）部
２２…ＨＤＤ
２３…入力部
２４…制御部
【図１】
2004032623.tif 000003
【図２】
2004032623.tif 000004
【図３】
2004032623.tif 000005
【図４】
2004032623.tif 000006
【図５】
2004032623.tif 000007